(57)【特許請求の範囲】
【請求項１】
外壁面と屋根面との取合部が雨押さえ材で覆われた雨仕舞構造であって、
前記雨押さえ材は、
一端部が前記屋根面側に延びると共に他端部が前記外壁面に接するベース部材と、
前記ベース部材を覆い、一端部が前記屋根面の上方に配置されると共に他端部が前記外壁面に接するトップ部材と
を備え、
前記ベース部材の他端部には、前記外壁面との間でシーリング材を収容するベース側シーリング材収容部を形成するベース側シーリング材受け部が設けられ、
前記ベース側シーリング材受け部は、
下端が前記外壁面に当接すると共に上方に向かって反外壁面側に傾斜する傾斜片部を具備し、
前記トップ部材の他端部には、前記ベース側シーリング材収容部の上方において前記外壁面との間でシーリング材を収容するトップ側シーリング材収容部を形成するトップ側シーリング材受け部が設けられており、
前記ベース側シーリング材収容部および前記トップ側シーリング材収容部に前記シーリング材が充填されている、雨仕舞構造。
【請求項２】
前記ベース部材は前記屋根面に固着具によって固定されており、
前記トップ部材は前記固着具を覆う、
請求項１記載の雨仕舞構造。
【請求項３】
前記ベース側シーリング材受け部は、前記傾斜片部の上端から上方に突出する突出片部を更に具備する、
請求項１または請求項２記載の雨仕舞構造。
【請求項４】
前記トップ側シーリング材受け部は、
前記突出片部に上方から引っ掛かる引っ掛かり片部と、
該引っ掛かり片部の前記外壁面側の端部から該外壁面側に延びてシーリング材を受ける受け片部と
を具備する
請求項３記載の雨仕舞構造。
【請求項５】
外壁面と屋根面との間の取合部を覆う雨押さえ材であって、
一端部が前記屋根面側に延びると共に他端部が前記外壁面側に接するベース部材と、
前記ベース部材を覆うように配置され、一端部が前記屋根面の上方に配置されると共に他端部が前記外壁面に接するように構成されたトップ部材と
を備え、
前記ベース部材の他端部には、前記外壁面との間でシーリング材を収容するベース側シーリング材収容部を形成するように構成されたベース側シーリング材受け部が設けられ、
前記ベース側シーリング材受け部は、
下端が前記外壁面に当接すると共に上方に向かって反外壁面側に傾斜する傾斜片部を具備し、
前記トップ部材の他端部には、前記ベース側シーリング材収容部の上方において前記外壁面との間でトップ側シーリング材収容部を形成するように構成されたトップ側シーリング材受け部が設けられている、雨押さえ材。
【請求項６】
請求項５に記載の雨押さえ材で外壁面と屋根面との間の取合部を覆うことにより雨仕舞構造を施工する方法であって、
前記ベース部材の一端部を前記屋根面に固定すると共に、前記ベース部材の他端部を前記外壁面に当てた状態で、前記ベース部材を取り付け、
前記ベース部材の前記ベース側シーリング材受け部と前記外壁面とで形成された前記ベース側シーリング材収容部にシーリング材を充填し、
前記トップ部材の一端部を前記屋根面の上方に配置して固定すると共に、前記トップ部材の他端部を前記外壁面に当てた状態で、前記トップ部材を、前記ベース部材を覆うようにして取り付け、
前記トップ部材の前記トップ側シーリング材受け部と前記外壁面とで形成された前記トップ側シーリング材収容部にシーリング材を充填する、雨仕舞構造の施工方法。
【発明の詳細な説明】
【技術分野】
【０００１】
本発明は、雨仕舞構造、雨押さえ材及び雨仕舞構造の施工方法に関し、特に、外壁面と屋根面との取合部における雨仕舞構造、この雨仕舞構造に用いられる雨押さえ材及び雨仕舞構造の施工方法に関する。
【背景技術】
【０００２】
特許文献１には、従来の外壁面と屋根面との取合部における雨仕舞構造が開示されている。この従来の雨仕舞構造は、既設の屋根材（旧屋根材）を覆うように、新設の屋根材が設置され、さらに、この新設の屋根材とそれに隣接する外壁パネルとの取合部に雨押さえ材が設置されており、この雨押さえ材によって当該取合部から水が浸入するのを防止する構造である。
【０００３】
上記の雨押さえ材は、下端部が新設の屋根材の上端部を覆う一方、上端部が外壁パネルの下端部表面を覆うと共に外壁パネルに固定される固定部材に係止しており、この固定部材が外壁パネルに固定されることによって当該雨押さえ材が固定されている。この固定部材の外壁パネル側の上角部には、凹状のシール受部が設けられており、このシール受部と外壁面との間に、シーリング材が充填されることによって外壁面を伝って流下する雨水などが新設の屋根材と外壁パネルとの取合部から浸入するのを防止することができる。
【先行技術文献】
【特許文献】
【０００４】
【特許文献１】特開平１１−２２９５６８号公報
【発明の概要】
【発明が解決しようとする課題】
【０００５】
しかしながら、この従来の雨仕舞構造では、露出したシーリング材のみで止水を図ろうとするものであるため、シーリング材が劣化しやすいうえに、シーリング材が劣化した場合には、止水性を保つことができないという問題があった。
【０００６】
本発明は、上記事情に鑑みてなされたものであり、その目的とするところは、外壁面との間でシーリング材を充填する構造において、長期間にわたって止水性を保つことができる外壁面と屋根面との取合部の雨仕舞構造、雨押さえ材及び雨仕舞構造の施工方法を提供することにある。
【課題を解決するための手段】
【０００７】
本発明の雨仕舞構造は、外壁面と屋根面との取合部が雨押さえ材で覆われた雨仕舞構造であって、前記雨押さえ材は、一端部が前記屋根面側に延びると共に他端部が前記外壁面に接するベース部材と、前記ベース部材を覆い、一端部が前記屋根面の上方に配置されると共に他端部が前記外壁面に接するトップ部材とを備え、前記ベース部材の他端部には、前記外壁面との間でシーリング材を収容するベース側シーリング材収容部を形成するベース側シーリング材受け部が設けられ、前記ベース側シーリング材受け部は、下端が前記外壁面に当接すると共に上方に向かって反外壁面側に傾斜する傾斜片部を具備し、前記トップ部材の他端部には、前記ベース側シーリング材収容部の上方において前記外壁面との間でシーリング材を収容するトップ側シーリング材収容部を形成するトップ側シーリング材受け部が設けられており、前記ベース側シーリング材収容部および前記トップ側シーリング材収容部に前記シーリング材が充填されていることを特徴とする。
【０００８】
また、この雨仕舞構造において、前記ベース部材は前記屋根面に固着具によって固定されており、前記トップ部材は前記固着具を覆うことが好ましい。
【０００９】
また、この雨仕舞構造において、前記ベース側シーリング材受け部は、前記傾斜片部の上端から上方に突出する突出片部を更に具備することが好ましい。
【００１０】
また、この雨仕舞構造において、前記トップ側シーリング材受け部は、前記突出片部に上方から引っ掛かる引っ掛かり片部と、該引っ掛かり片部の前記外壁面側の端部から該外壁面側に延びてシーリング材を受ける受け片部とを具備することが好ましい。
【００１１】
また、本発明の雨押さえ材は、外壁面と屋根面との間の取合部を覆う雨押さえ材であって、一端部が前記屋根面側に延びると共に他端部が前記外壁面側に接するベース部材と、前記ベース部材を覆うように配置され、一端部が前記屋根面の上方に配置されると共に他端部が前記外壁面に接するように構成されたトップ部材とを備え、前記ベース部材の他端部には、前記外壁面との間でシーリング材を収容するベース側シーリング材収容部を形成するように構成されたベース側シーリング材受け部が設けられ、前記ベース側シーリング材受け部は、下端が前記外壁面に当接すると共に上方に向かって反外壁面側に傾斜する傾斜片部を具備し、前記トップ部材の他端部には、前記ベース側シーリング材収容部の上方において前記外壁面との間でトップ側シーリング材収容部を形成するように構成されたトップ側シーリング材受け部が設けられていることを特徴とする。
また、本発明の雨仕舞構造の施工方法は、前記雨押さえ材で外壁面と屋根面との間の取合部を覆うことにより雨仕舞構造を施工する方法であって、前記ベース部材の一端部を前記屋根面に固定すると共に、前記ベース部材の他端部を前記外壁面に当てた状態で、前記ベース部材を取り付け、前記ベース部材の前記ベース側シーリング材受け部と前記外壁面とで形成された前記ベース側シーリング材収容部にシーリング材を充填し、前記トップ部材の一端部を前記屋根面の上方に配置して固定すると共に、前記トップ部材の他端部を前記外壁面に当てた状態で、前記トップ部材を、前記ベース部材を覆うようにして取り付け、前記トップ部材の前記トップ側シーリング材受け部と前記外壁面とで形成された前記トップ側シーリング材収容部にシーリング材を充填することを特徴とする。
【発明の効果】
【００１２】
本発明の雨仕舞構造および雨押さえ材によれば、外壁面との間でシーリング材を充填する構造において、長期間にわたって止水性を保つことができる。
【図面の簡単な説明】
【００１３】
【図１】本発明の実施形態１に係る雨仕舞構造の断面図である。
【図２】同上の雨押さえ材のベース部材の拡大図である。
【図３】同上の雨押さえ材のトップ部材の拡大図である。
【図４】図４Ａは、同上の改修前の下屋の断面図である。図４Ｂは、同上の新設の屋根材を設置した状態を説明するための断面図である。
【図５】図５Ａは、同上のベース部材を取り付けた状態の断面図である。図５Ｂは、同上のトップ部材を取り付けた状態の断面図である。
【図６】本発明の実施形態２に係る雨仕舞構造の断面図である。
【図７】図７Ａは、変形例のベース部材の拡大図である。図７Ｂは、さらなる変形例のベース部材の拡大図である。
【発明を実施するための形態】
【００１４】
以下、本発明に係る一実施形態について添付図面に基づいて説明する。
【００１５】
（第１の実施形態）
本実施形態の雨仕舞構造は、２階建て住宅における下屋１と外壁との間の雨仕舞の構造である。本実施形態の下屋１は、図１に示すように、既設の屋根材１４の上に新設の屋根材６３を設置した構造である。雨仕舞構造は、新設の屋根材６３の上面（屋根面）と外壁材５１の屋外側の面（以下、「外壁面５１ａ」という。）との取合部が雨押さえ材２で覆われて構成される。
【００１６】
なお、以下においては、下屋１の上端部を棟とし、棟から軒に向かう方向を流れ方向として定義する。また、流れ方向に平行な方向を屋根勾配方向とし、屋根勾配方向に直交しかつ水平面に沿った方向を左右方向として定義する。
【００１７】
雨押さえ材２は、外壁材５１と屋根材６３との間に雨水が浸入するのを防ぐ。本実施形態の雨押さえ材２は、屋根の改修用の雨押さえ材２であり、設置された状態では、外壁面５１ａに対して止水性を保って接続される。雨押さえ材２は、ベース部材３と、トップ部材４とを備えている。
【００１８】
図２には、ベース部材３の拡大図を示す。ベース部材３は、軒側の端部が屋根面側に延びており、棟側の端部が外壁面５１ａ側に延びている。具体的に、ベース部材３の軒側の端部は、下屋１の棟に固定された支持部材６４に、固着具（例えば、釘）により固定される。ベース部材３は、平坦部３１と、ベース側シーリング材受け部３２とを備え、金属板を曲げ加工することで形成されている。ベース部材３は、左右方向に延びており、下屋１の左右方向の全長にわたって配置される。
【００１９】
平坦部３１は、支持部材６４に固着具によって固定される部分である。本実施形態の平坦部３１は、外壁面５１ａと支持部材６４との間の隙間を覆う。平坦部３１の外壁面５１ａ側の端部には、ベース側シーリング材受け部３２が形成されている。
【００２０】
ベース側シーリング材受け部３２は、外壁面５１ａとの間でシーリング材を収容するためのシーリング材収容部（以下、ベース側シーリング材収容部７１）を形成する。ベース側シーリング材受け部３２は、上方に向かって反外壁面５１ａ側に傾斜する傾斜片部３４と、傾斜片部３４の上端部から上方に突出する突出片部３５とで構成されている。
【００２１】
傾斜片部３４の下端部には当接部３３が形成されている。当接部３３は、平坦部３１における外壁面５１ａ側の先端部である。当接部３３は、平坦部３１が支持部材６４に固定された状態において、外壁面５１ａに当たる。傾斜片部３４と外壁面５１ａとの間にシーリング材が充填されるときに、当接部３３が外壁面５１ａに当たった状態を保つことで、当該シーリング材が下方に流出するのを防ぐことができる。なお、当接部３３の全体が外壁面５１ａに当接する必要は無く、シーリング材の下方への流出を防止可能な程度に当接していればよい。
【００２２】
傾斜片部３４は、当接部３３から屋外側の斜め上方に向かって直線状に延びており、平坦部３１が支持部材６４に固定された状態において、外壁面５１ａから離間するように構成される。これにより、傾斜片部３４は、外壁面５１ａとの間で、ベース側シーリング材収容部７１を形成することができる。
【００２３】
突出片部３５は、傾斜片部３４の上端部から上方に向かって直線状に延びている。突出片部３５には、後述のトップ部材４の引っ掛かり片部４９が上方から嵌まり、これにより、トップ部材４の外壁面５１ａ側の端部にシーリング材を充填する作業を行うときにおいて、このトップ部材４の外壁面５１ａ側の端部を位置決めすることができる。
【００２４】
このような構成のベース部材３は、当接部３３を外壁面５１ａに当てた状態で、平坦部３１を支持部材６４上に載置し、固着具を打ち込むことで固定される。この状態において、ベース部材３は、ベース側シーリング材受け部３２と外壁面５１ａとの間にベース側シーリング材収容部７１を形成する。施工者は、このベース側シーリング材収容部７１にシーリング材を充填し、シーリング材を硬化させる。これにより、ベース部材３は、一端部が支持部材６４に固定されると共に、他端部が外壁面５１ａに接続される。
【００２５】
このようなベース部材３の上方には、トップ部材４が覆うようにして取り付けられる。
【００２６】
図３には、トップ部材４の拡大図を示す。トップ部材４は、軒側の端部が屋根面の上方に位置すると共に、棟側の端部（外壁面５１ａ側の端部）が外壁面５１ａに接する。トップ部材４は、本体部４１と、トップ側シーリング材受け部４６とを備え、金属板を曲げ加工することで形成されている。トップ部材４は、左右方向に延びており、下屋１の左右方向の全長にわたって配置される。
【００２７】
本体部４１は、ベース部材３の上方を覆うように構成される。本体部４１は、屋根面の上方に配置される導水部４２と、導水部４２の棟側の端部から突出した固定部４３と、固定部４３の上端から外壁面５１ａに向かって延びた覆い部４４とで構成される。
【００２８】
導水部４２は、軒側の先端が自由端となっており、この軒側の先端が屋根面上に配置される。これにより、導水部４２は、覆い部４４側から流下する雨水を屋根面上に案内することができる。
【００２９】
固定部４３は、支持部材６４の軒側の端面に沿うように形成される。固定部４３は、屋根面の法線方向に略平行に延びており、当該法線方向に幅を有している。本実施形態の固定部４３の幅は、後述の立上部４５の幅よりも短く形成されている。固定部４３は、支持部材６４の軒側の端面に当てた状態で、固着具が打ち込まれることで、当該支持部材６４に固定される。
【００３０】
覆い部４４は、固定部４３の上端から屋根面に略平行に延びている。覆い部４４は、平坦面をなしており、支持部材６４およびベース部材３の平坦部３１を覆うように構成されている。なお、覆い部４４には釘やビス等の固着具は打ち込まれない。この覆い部４４の上端部には、トップ側シーリング材受け部４６が形成されている。
【００３１】
トップ側シーリング材受け部４６は、外壁面５１ａとの間でシーリング材を収容するためのシーリング材収容部（以下、トップ側シーリング材収容部７２）を形成する。トップ側シーリング材受け部４６は、立上部４５と、折り返し部４７と、折り返し部４７の下端部（引っ掛かり片部４９の外壁面５１ａ側端）から外壁面５１ａ側に延出する受け片部４８とで構成されている。
【００３２】
立上部４５は、覆い部４４の外壁面５１ａ側の端部から上方に突出している。立上部４５は、ベース部材３のベース側シーリング材受け部３２の屋外側に近接対向するように構成されており、当該ベース側シーリング材受け部３２を屋外側から覆う。立上部４５は、所定高さ以下に設定されており、本実施形態では、例えば３０ｍｍ程度に設定される。
【００３３】
折り返し部４７は、立上部４５の上端部から下方に向かって延びている。折り返し部４７は、立上部４５とは隙間を介して離間している。折り返し部４７と立上部４５との間には、ベース部材３の突出片部３５が差し込まれるように構成されており、この折り返し部４７と立上部４５とで上述の引っ掛かり片部４９を構成する。
【００３４】
受け片部４８は、引っ掛かり片部４９の外壁面５１ａ側端から外壁面５１ａ側に向かって延出している。受け片部４８の先端部は、トップ部材４が支持部材６４に固定されると外壁面５１ａに当たるように構成される。
【００３５】
また、受け片部４８は、ベース側シーリング材収容部７１に充填されたシーリング材の上面との間に隙間を形成するように構成されている。これにより、ベース側シーリング材収容部７１に充填されたシーリング材が、ベース部材３と外壁面５１ａと受け片部４８との３面で接着するのを防ぐことができる。この結果、ベース部材３、トップ部材４、および外壁材５１のいずれかまたは全部が、温度などにより伸縮、または所定位置から僅かにズレた場合でも、シーリング材が拘束されにくく、伸縮または位置ズレに追従することができて、シーリング材に切れが生じにくくなる。
【００３６】
トップ側シーリング材受け部４６は、受け片部４８が外壁面５１ａに当たった状態で、トップ側シーリング材収容部７２にシーリング材が充填され、シーリング材が硬化することで、外壁面５１ａに接続される。
【００３７】
このような構成の雨押さえ材２は、次のようにして、取り付けられる。
【００３８】
図４Ａに示すような既設の屋根材１４に対し、リフォーム等の改修をする際に、本実施形態の雨押さえ材２が使用される。下屋１は、垂木１１，野地板１２，下葺き材１３，および屋根材１４を備えている。下屋１の棟の上方には、外壁材５１が設置される。外壁材５１は、縦胴縁５２を介して建物躯体５３に取り付けられている。下屋１の棟には、雨押さえ部材１５が取り付けられている。
【００３９】
施工者は、既設の屋根材１４の上に、図４Ｂに示すように、ルーフィング６１を敷き、ルーフィング６１の上から屋根材６３を固定するための複数の桟木６２を固定する。桟木６２は、例えば、左右方向に延びた角材により構成される。次いで、施工者は、固定した桟木６２の上に、新設の屋根材６３を固定する。
【００４０】
次いで、施工者は、屋根材６３と外壁材５１との間に、支持部材６４を固定する。支持部材６４は、既設の雨押さえ部材１５の上方に固定される第一部材６４ａと、第一部材６４ａと屋根材６３との間に架設される第二部材６４ｂとで構成される。
【００４１】
次いで、施工者は、図５Ａに示すように、ベース部材３を取り付ける。施工者は、ベース部材３の当接部３３を外壁面５１ａに当てた状態で、平坦部３１を固着具を介して第二部材６４ｂに固定する。この後、施工者は、ベース部材３のベース側シーリング材受け部３２と外壁面５１ａとで形成されたベース側シーリング材収容部７１にシーリング材を充填する。このとき、施工者は、シーリング材の充填時に用いるヘラの一部を、傾斜片部３４と突出片部３５との境界にあてがい、この境界に沿ってヘラを移動させることで、過不足なく、シーリング材を適切に充填することができると共に、シーリング材の高さを一定に保つことが可能となる。
【００４２】
次いで、施工者は、図５Ｂに示すように、トップ部材４を、ベース部材３を覆うようにして取り付ける。施工者は、トップ部材４を、突出片部３５に引っ掛かり片部４９が嵌まるようにして、ベース部材３の上方に配置し、この状態で、固定部４３に固着具を打ち込み、これにより、支持部材６４にトップ部材４を固定する。この後、施工者は、トップ側シーリング材受け部４６と外壁面５１ａとで形成されたトップ側シーリング材収容部７２にシーリング材を充填する。
【００４３】
これにより、ベース側シーリング材収容部７１に充填されたシーリング材（ベース側のシーリング材）と、トップ側シーリング材収容部７２に充填されたシーリング材（トップ側のシーリング材）とが、上下方向に離間して配置される。このベース側のシーリング材は、トップ部材４により常時覆われているため、トップ側のシーリング材に比べて劣化しにくい。この結果、万が一、トップ側のシーリング材が劣化しても、ベース側のシーリング材で室内側への浸水を防ぐことができる。
【００４４】
（効果）
以上、説明したように、本実施形態の雨仕舞構造は、外壁面５１ａと屋根面との取合部が雨押さえ材２で覆われた雨仕舞構造である。雨押さえ材２は、ベース部材３と、トップ部材４とを備える。ベース部材３は、一端部が屋根面側に延びると共に他端部が外壁面５１ａに接する。トップ部材４は、ベース部材３を覆い、一端部が屋根面の上方に配置されると共に他端部が外壁面５１ａに接する。ベース部材３は、外壁面５１ａとの間でベース側シーリング材収容部７１を形成するベース側シーリング材受け部３２を有する。トップ部材４は、ベース側シーリング材収容部７１の上方において外壁面５１ａとの間でトップ側シーリング材収容部７２を形成するトップ側シーリング材受け部４６を有する。そして、ベース側シーリング材収容部７１およびトップ側シーリング材収容部７２にシーリング材が充填されている。この構成によれば、ベース側シーリング材収容部７１がトップ部材４に覆われているため、ベース側シーリング材収容部７１に充填されたシーリング材（ベース側のシーリング材）は劣化しにくい。この結果、万が一、トップ側シーリング材収容部７２に充填されたシーリング材（トップ側のシーリング材）が劣化しても、ベース側のシーリング材により室内側への浸水を防ぐことができ、雨仕舞構造として、長期にわたって止水性を保つことができる。
【００４５】
また、本実施形態の雨仕舞構造は、次の付加的な構成を有する。すなわち、本実施形態のベース部材３は、屋根面側に固着具によって固定されている。トップ部材４は固着具を覆う。この構成によれば、ベース部材３を固定する固着具に水が付着するのを防ぐことができ、当該固着具を伝って浸水するのを防ぐことができる。
【００４６】
また、本実施形態の雨仕舞構造は、次の付加的な構成を有する。すなわち、本実施形態のベース側シーリング材受け部３２は、傾斜片部３４と突出片部３５とを備える。傾斜片部３４は、上方に向かって反外壁面５１ａ側に傾斜する。傾斜片部３４の下端は、外壁面５１ａに当接する。突出片部３５は、傾斜片部３４の上端から上方に突出する。この構成によれば、傾斜片部３４と突出片部３５との境界を、ヘラの移動をガイドするガイド部とすることができ、シーリング材の充填時において、簡単に過不足なく適切な量のシーリング材を充填することができると共に、シーリング材の高さを一定に保つことが可能となる。
【００４７】
また、本実施形態の雨仕舞構造は、次の付加的な構成を有する。すなわち、本実施形態のトップ側シーリング材受け部７２は、引っ掛かり片部４９と、受け片部４８とを備える。引っ掛かり片部４９は、突出片部３５に上方から引っ掛かる。受け片部４８は、引っ掛かり片部４９の外壁面５１ａ側端から該外壁面５１ａ側に延びてシーリング材を受ける。この構成によれば、施工者はトップ部材４を設置する際に、突出片部３５に引っ掛かり片部４９を引っ掛けた状態でシーリング材の充填作業を行うことができ、施工性がよい。
【００４８】
また、本実施形態の雨押さえ材２は、外壁面５１ａと屋根面との間の取合部を覆う雨押さえ材２である。雨押さえ材２は、ベース部材３と、トップ部材４とを備える。ベース部材３は、一端部が屋根面側に延びると共に他端部が外壁面５１ａ側に接する。トップ部材４は、ベース部材３を覆うように配置され、一端部が屋根面の上方に配置されると共に他端部が外壁面５１ａに接続するように構成される。ベース部材３の他端部（外壁面５１ａ側の端部）には、外壁面５１ａとの間でベース側シーリング材収容部７１を形成するように構成されたベース側シーリング材受け部３２を有する。トップ部材４は、ベース側シーリング材収容部７１の上方において外壁面５１ａとの間でトップ側シーリング材収容部７２を形成するように構成されたトップ側シーリング材受け部４６を有する。この構成によれば、ベース側シーリング材収容部７１がトップ部材４に覆われているため、ベース側のシーリング材は劣化しにくい。この結果、万が一、トップ側のシーリング材が劣化しても、ベース側のシーリング材により室内側への浸水を防ぐことができる。
【００４９】
また、本実施形態のトップ部材４の立上部４５は、ベース側のシーリング材とトップ側のシーリング材とが収まる高さに形成されている。このため、本実施形態の雨押さえ材２は、立上部４５として、高さを抑えることができ、例えば、設置した状態で立上部４５が目立ったり、立上部４５が窓の開口部に干渉したりするのを防ぐことができる。
【００５０】
また、本実施形態の雨押さえ材２は、外壁面５１ａに沿った立上部４５に固着具が設けられていない。このため、固着具が目立たなく、建物の外観が損なわれるのを防ぐことができる。
【００５１】
（実施形態２）
次に、実施形態２について説明する。なお、本実施形態は実施形態１と大部分において同じであるため、同じ部分においては同符号を付して説明を省略し、主に異なる部分について説明する。
【００５２】
本実施形態の雨仕舞構造は、外壁と屋根との壁取合部の構造である。既設屋根は、図６に示すように、野地板１２，壁際捨水切り１６，屋根材１４，雨押さえ部材１５とを備えている。
【００５３】
この既設屋根において、新設の屋根材６３を上から設置し、改修が行われる。新設の屋根材６３の上面と、外壁面５１ａとの間には、実施形態１の雨押さえ材２と同じ構造の雨押さえ材２が用いられる。
【００５４】
施工者は、この既設屋根において、屋根材６３の上方にルーフィング６１を敷く。次いで、施工者は、雨押さえ部材１５の上方に、第一部材６４ａを載せた状態で固定する。この後、施工者は、第一部材６４ａの外壁面５１ａとは反対側の側面、および第一部材６４ａの上面を覆うように水切り材を取り付ける。
【００５５】
次いで、施工者は、新設の屋根材６３を設置する。施工者は、新設の屋根材６３の屋根面の外壁面５１ａ側の端部と、水切り材の上端との間に、第二部材６４ｂを架設する。この後、施工者は、雨押さえ材２を設置する。
【００５６】
施工者は、ベース部材３の当接部３３を外壁面５１ａに当てた状態で、平坦部３１を固着具によって第二部材６４ｂに固定する。この後、施工者は、ベース部材３のベース側シーリング材受け部３２と外壁面５１ａとで形成されたベース側シーリング材収容部７１にシーリング材を充填する。
【００５７】
次いで、施工者は、トップ部材４を、ベース部材３を覆うようにして取り付ける。施工者は、トップ部材４を、引っ掛かり片部４９と突出片部３５とが嵌まるようにして、ベース部材３の上方に配置し、この状態で、固定部４３に固着具を打ち込んで、トップ部材を支持部材６４に固定する。また、施工者は、トップ側シーリング材受け部４６と外壁面５１ａとで形成されたトップ側シーリング材収容部７２にシーリング材を充填する。
【００５８】
このように、本実施形態の雨仕舞構造によれば、壁取合部においても、作業性よく改修作業をすることができ、また、長期にわたって止水性を保つことができる。
【００５９】
（変形例）
上記実施形態１，２のベース部材３は、例えば、図７Ａ，図７Ｂに示すような構造であってもよい。図７Ａ，図７Ｂに示すベース部材３は、ベース側シーリング材受け部３２の形状が、実施形態１，２とは異なっている。
【００６０】
図７Ａに示すベース側シーリング材受け部３２は、傾斜片部３４に代えて、段片部３６が設けられる。段片部３６は、当接部３３から反外壁面５１ａ側において水平方向に延びた第一横片部３６１と、第一横片部３６１の反外壁面５１ａ側の端部から上方に突出した縦片部３６２と、縦片部３６２の上端から反外壁面５１ａ側において水平方向に延びた第二横片部３６３とを備えている。突出片部３５は、第二横片部３６３の反外壁面５１ａ側の端部から上方に突出する。
【００６１】
シーリング材は、第一横片部３６１と縦片部３６２と外壁面５１ａとの間に充填される。
【００６２】
また、上記実施形態１，２の傾斜片部３４は、直線状に形成されていたが、図７Ｂに示すように、下方に凸となるように湾曲していてもよい。この構造においては、シーリング材は、傾斜片部３４と外壁面５１ａとの間に充填されるが、突出片部３５と外壁面５１ａとの間にまで充填されてもよい。
【００６３】
なお、上記実施形態１，２の構成は、本発明の主旨を逸脱しない範囲であれば、適宜設計変更を行うことができる。
【符号の説明】
【００６４】
２      雨押さえ材
３      ベース部材
３２    ベース側シーリング材受け部
３４    傾斜片部
３５    突出片部
４      トップ部材
４６    トップ側シーリング材受け部
４８    受け片部
４９    引っ掛かり片部
５１ａ  外壁面
７１    ベース側シーリング材収容部
７２    トップ側シーリング材収容部
【図１】
0006659419.tif 000002
【図２】
0006659419.tif 000003
【図３】
0006659419.tif 000004
【図４】
0006659419.tif 000005
【図５】
0006659419.tif 000006
【図６】
0006659419.tif 000007
【図７】
0006659419.tif 000008